【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
所定条件の成立に基づいて判定を行う判定手段と、
前記判定の結果が特定結果となると、遊技者に有利な特別遊技を実行する特別遊技実行手段と、
前記判定手段が特定結果と判定する判定確率として、複数の判定確率を記憶する判定確率記憶手段と、
所定の入力操作によって、前記複数の判定確率のうち所定の判定確率を選択可能な判定確率選択手段と、
前記判定確率選択手段で選択された所定の判定確率を、前記判定手段の判定確率として設定可能な判定確率設定手段と、
特定条件の成立に基づいて所定量の遊技利益を付与する遊技利益付与手段と、
所定の遊技情報を表示可能な遊技情報表示部と、
を備え、
前記遊技情報表示部は、第１期間は前記判定確率設定手段が設定した判定確率を示す情報を表示し、第２期間は特定期間における遊技利益の付与割合を示す情報を表示するものであって、
前記遊技情報表示部は、複数の表示器で構成され、
前記複数の表示器は、第１期間及び第２期間に亘って常時情報を表示する状態とする
ことを特徴とする遊技機。
【請求項２】
前記第１期間は遊技開始前の期間であり、前記第２期間は遊技開始後の期間であることを特徴とする請求項１に記載の遊技機。
【請求項３】
遊技球が入球可能な入球口と、
遊技領域に発射された遊技球の数を計数可能な第１計数手段と、
遊技利益付与手段によって付与された遊技球の数を計数可能な第２計数手段と、を備え、
前記特定条件は前記入球口に遊技球が入球することに基づいて成立するものとされ、
前記遊技開始後に前記遊技情報表示部に表示される遊技利益の付与割合を示す情報は、前記第１計数手段及び前記第２計数手段の計数値に基づいて算出される情報であることを特徴とする請求項２に記載の遊技機。
【請求項４】
前記遊技情報表示部は、前記判定確率設定手段が前記判定手段の判定確率を変更して設定した場合に、前記第１期間において、当該判定確率を示す情報を表示することを特徴とする請求項１乃至請求項３の何れか一項に記載の遊技機。
【請求項５】
前記判定確率設定手段で設定した判定確率を示す情報を少なくとも含む、遊技状態情報を記憶可能な遊技状態情報記憶手段と、
電力供給を行う電力供給手段と、
電源電圧の低下を検知することに基づいて、前記遊技状態情報記憶手段に記憶される遊技状態情報を、電力供給の停止後も所定期間記憶保持可能な記憶保持手段と、
前記電力供給手段が電力供給を開始した際に、前記記憶保持手段が記憶保持した遊技状態情報に基づいて、電源電圧の低下を検知したときの遊技状態情報を復旧する遊技状態情報復旧手段と、
前記電力供給手段が電力供給を開始した際に、前記記憶保持手段が記憶保持した遊技状態情報を消去し、電源電圧の低下を検知したときの遊技状態情報を復旧しない遊技状態情報初期化手段と、
を備え、
前記判定確率設定手段は、
前記遊技状態情報初期化手段によって遊技状態情報を復旧することなく遊技を開始する場合には、前記判定手段の判定確率を変更可能とし、
前記遊技状態情報復旧手段によって遊技状態情報を復旧して遊技を開始する場合には、前記判定手段の判定確率を変更不能とすることを特徴とする請求項１乃至請求項４の何れか一項に記載の遊技機。

【手続補正２】
【補正対象書類名】明細書
【補正対象項目名】０００７
【補正方法】変更
【補正の内容】
【０００７】
前述の課題を解決するための第１発明の遊技機は、
所定条件の成立に基づいて判定を行う判定手段と、
前記判定の結果が特定結果となると、遊技者に有利な特別遊技を実行する特別遊技実行手段と、
前記判定手段が特定結果と判定する判定確率として、複数の判定確率を記憶する判定確率記憶手段と、
所定の入力操作によって、前記複数の判定確率のうち所定の判定確率を選択可能な判定確率選択手段と、
前記判定確率選択手段で選択された所定の判定確率を、前記判定手段の判定確率として設定可能な判定確率設定手段と、
特定条件の成立に基づいて所定量の遊技利益を付与する遊技利益付与手段と、
所定の遊技情報を表示可能な遊技情報表示部と、
を備え、
前記遊技情報表示部は、第１期間は前記判定確率設定手段が設定した判定確率を示す情報を表示し、第２期間は特定期間における遊技利益の付与割合を示す情報を表示するものであって、
前記遊技情報表示部は、複数の表示器で構成され、
前記複数の表示器は、第１期間及び第２期間に亘って常時情報を表示する状態とする
ことを特徴とするものである。

【手続補正３】
【補正対象書類名】明細書
【補正対象項目名】０００８
【補正方法】変更
【補正の内容】
【０００８】
このような遊技機によれば、判定手段の判定確率として複数の判定確率を記憶する判定確率記憶手段と、所定の入力操作によって複数の判定確率から所定の判定確率を選択可能な判定確率選択手段と、選択された判定確率を判定手段の判定確率として設定可能な判定確率設定手段と、を備えている。また、特定条件が成立（例えば、入球口への入球や特定図柄が停止表示）すると遊技利益を付与する遊技利益付与手段と、所定の遊技情報を表示する遊技情報表示部と、を備え、遊技情報表示部は、第１期間は設定した判定確率を示す情報を表示し、第２期間は特定期間における遊技利益の付与割合を示す情報を表示するものとする。これにより、複数の表示器の全てを、第１期間及び第２期間に亘って常時情報を表示する状態とすると共に、遊技情報表示部に表示される遊技情報（設定確率情報又は遊技利益付与割合情報）を時期（第１期間又は第２期間）によって異ならせ、表示部の共通化を可能とすると共に、適切に遊技情報を把握することを可能としている。
（１）また、第２発明の遊技機は、第１発明の遊技機において、
前記第１期間は遊技開始前の期間であり、前記第２期間は遊技開始後の期間であることを特徴とすることを特徴とするものである。
（２）また、第３発明の遊技機は、第２発明の遊技機において、
遊技球が入球可能な入球口と、
遊技領域に発射された遊技球の数を計数可能な第１計数手段と、
遊技利益付与手段によって付与された遊技球の数を計数可能な第２計数手段と、を備え、
前記特定条件は前記入球口に遊技球が入球することに基づいて成立するものとされ、
前記遊技開始後に前記遊技情報表示部に表示される遊技利益の付与割合を示す情報は、前記第１計数手段及び前記第２計数手段の計数値に基づいて算出される情報であることを特徴とするものである。
（３）また、第４発明の遊技機は、第１発明乃至第３発明の遊技機において、
前記遊技情報表示部は、前記判定確率設定手段が前記判定手段の判定確率を変更して設定した場合に、前記第１期間において、当該判定確率を示す情報を表示することを特徴とするものである。
（４）また、第５発明の遊技機は、第１発明乃至第４発明の遊技機において、
前記判定確率設定手段で設定した判定確率を示す情報を少なくとも含む、遊技状態情報を記憶可能な遊技状態情報記憶手段と、
電力供給を行う電力供給手段と、
電源電圧の低下を検知することに基づいて、前記遊技状態情報記憶手段に記憶される遊技状態情報を、電力供給の停止後も所定期間記憶保持可能な記憶保持手段と、
前記電力供給手段が電力供給を開始した際に、前記記憶保持手段が記憶保持した遊技状態情報に基づいて、電源電圧の低下を検知したときの遊技状態情報を復旧する遊技状態情報復旧手段と、
前記電力供給手段が電力供給を開始した際に、前記記憶保持手段が記憶保持した遊技状態情報を消去し、電源電圧の低下を検知したときの遊技状態情報を復旧しない遊技状態情報初期化手段と、
を備え、
前記判定確率設定手段は、
前記遊技状態情報初期化手段によって遊技状態情報を復旧することなく遊技を開始する場合には、前記判定手段の判定確率を変更可能とし、
前記遊技状態情報復旧手段によって遊技状態情報を復旧して遊技を開始する場合には、前記判定手段の判定確率を変更不能とすることを特徴とするものである。